【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
外部との通信又はデータ保存を行うために指や道具を使って座標を指定したり、文字を選択したりするためのタッチ部を備えた通信端末機の文字入力装置において、
前記タッチ部内で多数の選択ブロックを含み、使用者のタッチ操作により該当ブロックに表示されている該当タッチキーブロックを視覚的なイメージで提供するためのタッチキーブロック選択手段と、
前記タッチキーブロック選択手段により表示され、第１の閉曲線から形成され、ハングル、ローマ字、日本語の各言語別に子音、母音、数字、記号又は機能キーが割り当てられている中央操作領域と、前記中央操作領域を第２の閉曲線で囲んでおり、前記第２の閉曲線により囲まれている領域のうち、前記中央操作領域以外の領域は、一定の数の閉区間から形成されており、前記中央操作領域のタッチ信号があると、表示されると共に活性化されるが、タッチ信号がない場合は、所定時間の経過後、自動に非活性化されて消えてしまい、ハングル、ローマ字、日本語の各言語別に子音、母音、数字又は記号又は機能キーが割り当てられている第１次操作領域とを有するタッチキーブロックと、
タッチ式の文字入力装置に用いられる各言語別文字データを保存している文字保存部と、
前記通信端末機内の動作プログラムを保存しているプログラムメモリと、
前記通信端末機のタッチ信号に対応するコードデータを保存しているコード保存部と、
前記通信端末機に設けられた各タッチキーブロックの指や道具の操作状態を検出するタッチキーブロック認識部と、
前記タッチキーブロック認識部を通じて指や道具の操作状態検出信号が入力されると、前記プログラムメモリに保存されている動作プログラムによって前記文字保存部に保存されている文字データを参照し、使用者がどんな言語の音素を入力しているかを判断し、前記コート保存部に保存されているコードデータを参照し、使用者が入力する該当言語の音素を表示するための表示制御信号を生成して出力するマイクロプロセッサーと、
前記マイクロプロセッサーから出力される表示制御信号に応じてタッチ領域内で指や道具の操作を通じて使用者が選択したタッチキーブロック選択手段又はタッチキーブロックの視覚的イメージと該当操作領域のタッチ信号で発生する文字及び数字／記号を表示するための駆動制御信号を出力する表示駆動部と、
前記表示駆動部から出力される駆動制御信号に応じてタッチキーブロック選択手段及びタッチキーブロック及び文字及び数字／記号を画面上に視覚的なイメージで提供する表示部とを含んで構成される、通信端末機の文字／数字入力装置。
【請求項２】
前記タッチキーブロックの第１次操作領域は少なくとも４つ以上の閉区間から形成される、請求項１に記載の通信端末機の文字／数字入力装置。
【請求項３】
前記第１次操作領域の閉区間は、各々切頭扇形状から形成される、請求項２に記載の通信端末機の文字／数字入力装置。
【請求項４】
前記タッチキーブロックの外郭に言語別に少なくとも一つ以上の切頭扇形状から形成されて隣接していると共に前記第１次操作領域のタッチ信号が発生すると、表示されると共に活性化されるが、タッチ信号がない場合は、所定時間の経過後、自動に非活性化されて消えてしまい、各言語別に子音、母音、数字又は記号又は機能キーが割り当てられている第２次操作領域と、前記通信端末機に設けられた第２次操作領域の指や道具の操作状態を検出する２次操作領域認識部とをさらに含む、請求項２または３に記載の通信端末機の文字／数字入力装置。
【請求項５】
2010541115.tif 000001
【請求項６】
前記タッチキーブロックがローマ字モードである場合、前記タッチキーブロック選択手段上の対応するそれぞれの中央操作領域には２種ずつ２６字のローマ字が割り当てられ、前記第１次操作領域には、Ａ、Ｅ、Ｉ、Ｏ、Ｕ、Ｗ、Ｙの七つの母音が割り当てられ、残りの一つの領域は、「下」の箇所に割り当てられ、タッチの際、該当中央操作領域の二番目のローマ字が入力され、前記第２次操作領域に割り当てられる母音は、Ａ、Ｅ、Ｉ、Ｏ、Ｕが割り当てられる、請求項４に記載の通信端末機の文字／数字入力装置。
【請求項７】
前記タッチキーブロックが日本語モードである場合、前記タッチキーブロック選択手段上の対応するそれぞれの中央操作領域には各行の「あ」段を割り当て、前記第１次操作領域には各行の「い」段、「う」段、「え」段、「お」段、特殊文字又は機能キーを割り当てる、請求項４に記載の通信端末機の文字／数字入力装置。
【請求項８】
前記各行の「あ」段が割り当てられていないタッチキーブロックに、濁音、長音、漢字変化、平仮名／カタカナの変換機能を割り当てる、請求項７に記載の通信端末機の文字／数字入力装置。
【請求項９】
前記各タッチキーブロックに割り当てられた文字を入力する際、該当タッチキーブロックの中央操作領域をもう一回タッチすると、発音文字の「ん」が入力され、
前記タッチキーブロックに「う」段が割り当てられたブロックをタッチした後、前記タッチキーブロック上に割り当てられた「た」中央操作領域を長くタッチすると、促音の「っ」文字が入力され、
前記タッチキーブロック上に割り当てられた「や」をタッチした後、該当領域を長くタッチすると、拗音を表現するための半母音の「ゃ、ゅ、ょ」文字が入力され、
「は」行の各段の文字を入力したうえで該当領域を一回長くタッチすると、「は」行の各段の半濁音が入力され、
「ア」行の各段の文字を入力したうえで該当領域を長く一回タッチすると、外来語表記で「ｆ」音を表現するために「フ」の後ろに小さく表示される「ァ、ィ、ェ、ォ」の文字が入力される、請求項７記載の通信端末機の文字／数字入力装置。
【請求項１０】
前記タッチキーブロック選択手段は、各言語別にタッチキーブロックと同じ配列の子音、母音、数字又は記号又は機能キーが表示されており、使用者が文字入力モードを選択すると、該当言語のキーイメージで画面上に表示され、使用者が特定キーイメージをタッチすると、該当位置のタッチキーブロックが表示され、活性化される機能を有している、請求項１に記載の通信端末機の文字／数字入力装置。
【請求項１１】
前記タッチキーブロックは、タッチキーブロック選択手段がタッチされる瞬間に接触した面を中心として指の大きさに合うように拡大表示されると同時に該当位置のキー入力信号を発生させる、請求項１に記載の通信端末機の文字／数字入力装置。
【請求項１２】
ハングル、ローマ字、日本語の各言語別、子音、母音、数字又は記号又は機能キーの入力は、該当タッチキーブロックの中央操作領域に使用者の指や道具がタッチされた状態で希望する第１次操作領域又は第２次操作領域までタッチを維持したうえで連続の直進移動操作を行うことにより該当文字入力信号を発生させる、請求項４に記載の通信端末機の文字／数字入力装置。
【請求項１３】
前記第２次操作領域は、前記タッチ部内で閉曲線で囲まれており、前記閉曲線で囲まれた領域中、前記第２次操作領域以外の領域は、第２次操作領域等のタッチ信号がある場合に活性化し、空白文字出力の機能が割り当てられている領域からなる、請求項４に記載の通信端末機の文字／数字入力装置。
【請求項１４】
前記空白文字出力領域が閉曲線で囲まれており、該閉曲線で囲まれた領域中、前記空白文字出力領域以外の領域は、空白文字領域のタッチ信号がある場合に活性化され、ピリオドの出力機能が割り当てられている領域からなり、ピリオドの出力機能が選択されると、空白文字出力機能は、非活性化されると同時にピリオドが出力される、請求項１３に記載の通信端末機の文字／数字入力装置。
【請求項１５】
（１）使用者が言語別文字モードを選択する否かを通信端末機のマイクロプロセッサーが判断するステップと、
（２）言語別文字モードを選択した使用者がハングル入力モード、ローマ字入力モード、日本語入力モードの何れの入力モードを選択したかを前記通信端末機のマイクロプロセッサーが判断するステップと、
（３）使用者がハングル入力モードを選択すると、前記通信端末機のマイクロプロセッサーが、タッチキーブロック及び２次操作領域から入力されるタッチ信号を検出し、該当ハングルの子音、母音及び数字／記号を組み合わせた後、前記通信端末機の画面上に表示するステップと、
（４）使用者がローマ字入力モードを選択すると、前記通信端末機のマイクロプロセッサーが、前記タッチキーブロック及び２次操作領域から入力されるタッチ信号を検出し、該当ローマ字の子音、母音及び数字／記号を組み合わせた後、前記通信端末機の画面上に表示するステップと、
（５）使用者が日本語入力モードを選択すると、前記通信端末機のマイクロプロセッサーが、前記タッチキーブロック及び２次操作領域から入力されるタッチ信号を検出し、該当日本語の平仮名、カタカナ、漢字及び数字／記号を組み合わせた後、前記通信端末機の画面上に表示するステップと、
（６）ハングル入力モード、ローマ字入力モード、日本語入力モードの何れか一つの入力モードを通じた文字入力作業が終わると、前記通信端末機のマイクロプロセッサーが、使用者が文字保存を選択しているか否かを判断し、使用者の入力した文字を保存するステップと、
（７）前記通信端末機のマイクロプロセッサーが、使用者が文字モードを終了するか否かを判断し、文字モードを続けるか、または解除するステップとを含む、通信端末機の文字／数字入力方法。
【請求項１６】
前記ステップ（３）は、
（３−１）使用者のハングル入力モード選択によって、前記通信端末機のマイクロプロセッサーがハングル入力モードに切り換えるステップと、
（３−２）ハングル入力モードに切り換わった後、前記通信端末機のマイクロプロセッサーが、使用者がメニュータッチキーブロックを選択するか否かを判断するステップと、
（３−３）使用者がメニュータッチキーブロックを選択していれば、前記通信端末機のマイクロプロセッサーが、使用者が選択した文字消し、数字及び記号入力、改行のメニューを行い、前記ステップ（３−２）以後を繰り返して行うステップと、
（３−４）使用者がメニュータッチキーブロックを選択していない場合、使用者がタッチ部上に設けられた複数のタッチキーブロック及び第２次操作領域の操作を行い、子音、母音を入力するかを前記通信端末機のマイクロプロセッサーが判断するステップと、
（３−５）前記ステップ（３−４）の判断の結果、使用者がタッチ部上に設けられた複数のタッチキーブロックの中央操作領域及び１次操作領域の操作を行うと、前記通信端末機のマイクロプロセッサーが使用者の操作に応じたハングルの子音及び短母音の入力を確認し、使用者が複数のタッチキーブロックの中央操作領域及び２次操作領域の操作を行うと、前記通信端末機のマイクロプロセッサーが使用者の操作に応じてハングルの子音及び二重母音の入力を確認するステップと、
（３−６）子音と母音が一つずつ選択されていると、前記マイクロプロセッサーが、子音が割り当てられている特定の中央操作領域が使用者により再び選択されるかを判断するステップと、
（３−７）子音が割り当てられている特定の中央操作領域が再び選択された場合、前記マイクロプロセッサーが、使用者の操作による文字が完成形のハングルであるか否かを判断し、完成形ハングルが可能であれば、前記ステップ（３−５）を行うステップと、
（３−８）使用者の操作による文字が完成形のハングルになれない場合、使用者が入力した文字が子音だけであれば、前記マイクロプロセッサーが、該当子音だけを出力し、前記ステップ（３−５）を行うステップと、
（３−９）前記ステップ（３−５）の判断の結果、使用者の１、２次操作領域の操作によって割り当てられている特定母音が選択されていない場合、使用者の操作によって該当中央操作領域が長く押される否かを前記マイクロプロセッサーが判断するステップと、
（３−１０）使用者の操作によって該当中央操作領域が長く押されると、前記マイクロプロセッサーが、該当子音を硬音に認識し、前記ステップ（３−５）以後を繰り返して行うステップと、
（３−１１）前記通信端末機のマイクロプロセッサーが、前記ステップ（３−５）を通じた使用者の短母音入力又は二重母音入力操作によるハングルを表示部に表示し、前記ステップ（３−２）以後を繰り返して行うステップとを含む、請求項１５に記載の通信端末機の文字／数字入力方法。
【請求項１７】
前記ステップ（４）は、
（４−１）使用者のローマ字入力モード選択によって前記通信端末機のマイクロプロセッサーがローマ字入力モードに切り換えるステップと、
（４−２）ローマ字入力モードに切り換わった後、使用者がメニュータッチキーブロックを選択するか否かを前記通信端末機のマイクロプロセッサーが判断するステップと、
（４−３）使用者がメニュータッチキーブロックを選択すると、前記通信端末機のマイクロプロセッサーが、使用者が選択した文字消し、数字及び記号入力、改行のメニューを行い、前記ステップ（４−２）以後を繰り返して行うステップと、
（４−４）使用者がメニュータッチキーブロックを選択していない場合、使用者がタッチキーブロック上に設けられた複数の中央操作領域及び１、２次操作領域の操作を行い、ローマ字の子音、母音を入力するか否かを前記通信端末機のマイクロプロセッサーが判断するステップと、
（４−５）前記ステップ（４−４）の判断結果、使用者がタッチキーブロック上に設けられた複数の中央操作領域及び１次操作領域の操作を行うと、前記通信端末機のマイクロプロセッサーが、使用者の操作によるローマ字の子音、母音及び単母音の入力を確認し、使用者が複数の中央操作領域及び２次操作領域の操作を行うと、前記通信端末機のマイクロプロセッサーが、使用者の操作によるローマ字の子音、母音及び二重母音の入力を確認するステップと、
（４−６）使用者の操作によってタッチキーブロック上に設けられた特定の中央操作領域がタッチされた状態であれば、使用者の第１、２次操作領域の操作によって各第１、２次操作領域の母音が選択されているか否かを前記マイクロプロセッサーが判断するステップと、
（４−７）子音と母音が一つずつ選択されると、前記マイクロプロセッサーが、該当中央操作領域に割り当てられた左側ローマ字と、１、２次操作領域に割り当てられたローマ字とを組み合わせ、前記ステップ（４−２）以後を繰り返して行うステップと、
（４−８）前記ステップ（４−６）の判断の結果、使用者の操作によって特定母音が選択されていない場合、使用者の操作によってタッチキーブロック上の特定の中央操作領域が長く押されるか否かを前記マイクロプロセッサーが判断するステップと、
（４−９）使用者の操作によって該当中央操作領域が長く押されると、前記マイクロプロセッサーが、該当文字を大文字として認識し、前記ステップ（４−６）以後を繰り返して行うステップと、
（４−１０）前記ステップ（４−９）の判断の結果、該当中央操作領域が長く押されていない場合、使用者の操作によって該当中央操作領域に割り当てられている右側の文字を出力するための操作が行われるか否かを前記マイクロプロセッサーが判断するステップと、
（４−１１）該当中央操作領域に割り当てられている右側の文字を出力するための操作が行われると、前記マイクロプロセッサーが、該当中央操作領域に割り当てられている右側の文字を出力し、前記ステップ（４−６）以後を繰り返して行うステップと、
（４−１２）前記通信端末機のマイクロプロセッサーが、前記ステップ（４−５）を通じた使用者の左側文字又は右側文字の入力操作によるローマ字を表示部に表示し、前記ステップ（４−２）以後を繰り返して行うステップとを含む、請求項１５に記載の通信端末機の文字／数字入力方法。
【請求項１８】
前記ステップ（５）は、
（５−１）使用者の日本語入力モード選択によって、前記通信端末機のマイクロプロセッサーが日本語入力モードに切り換えるステップと、
（５−２）日本語入力モードに切り換わった後、使用者がメニュータッチキーブロックを選択するか否かを前記通信端末機のマイクロプロセッサーが判断するステップと、
（５−３）使用者がメニュータッチキーブロックを選択していれば、前記通信端末機のマイクロプロセッサーが、使用者が選択した、文字消し、数字及び記号入力、改行のメニューを行い、前記ステップ（５−２）以後を繰り返して行うステップと、
（５−４）使用者が、メニュータッチキーブロックを選択していない場合、使用者がタッチキーブロック上に設けられた複数の中央操作領域または１、２次操作領域の操作を行い、平仮名、カタカナ、漢字からなる日本語を入力するか否かを前記通信端末機のマイクロプロセッサーが判断するステップと、
（５−５）前記通信端末機のマイクロプロセッサーが、前記ステップ（５−４）を通じた使用者の中央操作領域の操作、または１、２次操作領域の操作による平仮名、カタカナ、漢字からなる日本語を表示部に表示し、前記ステップ（５−２）以後を繰り返して行うステップとを含む、請求項１５に記載の通信端末機の文字／数字入力方法。
【手続補正２】
【補正対象書類名】明細書
【補正対象項目名】発明の名称
【補正方法】変更
【補正の内容】
【発明の名称】通信端末機の文字／数字入力装置及び入力方法
【手続補正３】
【補正対象書類名】明細書
【補正対象項目名】０００１
【補正方法】変更
【補正の内容】
【０００１】
本発明は、文字／数字入力装置及び入力方法に関する。より詳細には、タッチスクリーン上の各種ブロック領域に配置されている子音と母音を入力する際、人の発音原理に基づいて並べられるように構成することによって、文字や数字の入力を簡単に行えるともに、道具だけでなく指でも文字／数字を楽に入力することができるようにする通信端末機の文字／数字入力装置及び該入力方法に関する。
【手続補正４】
【補正対象書類名】明細書
【補正対象項目名】００１３
【補正方法】変更
【補正の内容】
【００１３】
したがって、本発明の目的は、タッチ部のパネル上に９個のタッチ操作領域を含む複数個のブロック群が形成されており、前記各ブロック内のタッチ信号により発生する少なくとも１個以上の活性ブロックを構成することによって、通信端末機を用いた各言語別文字／数字の入力を間単に行えるようにする通信端末機の文字／数字入力装置及び入力方法を提供することにある。
【手続補正５】
【補正対象書類名】明細書
【補正対象項目名】００１４
【補正方法】変更
【補正の内容】
【００１４】
また、他の目的は、タッチ部のパネル上に形成された複数個のブロック群に各言語別文字の子音と母音とを人の発音原理に基づいて配列し、使用者による一回の操作を通じて最大三つの音素を入力し得るようにすることによって、文字／数字の入力速度を画期的に増大させると共に、文字入力時に使われる操作領域のみを特徴的に拡張させることにより、道具だけでなく指でも入力することが可能な通信端末機の文字／数字入力装置及び入力方法を提供することにある。
【手続補正６】
【補正対象書類名】明細書
【補正対象項目名】００１５
【補正方法】変更
【補正の内容】
【００１５】
本発明に係る、通信端末機の文字／数字入力装置は、外部との通信又はデータ保存のために指や道具を用いて座標を指定したり、文字を選択したりすることができるタッチ部を備えた通信端末機において、
前記タッチ部内で多数の選択ブロックを含み、使用者のタッチ操作により該当ブロックに表示されている該当タッチキーブロックを視覚的なイメージで提供するためのタッチキーブロック選択手段と、
前記タッチキーブロック選択手段により表示され、第１の閉曲線として形成され、ハングル、ローマ字、日本語の各言語別に子音、母音、数字、記号、機能キーが割り当てられている中央操作領域と、前記中央操作領域を第２の閉曲線で囲んでおり、前記第２の閉曲線により囲まれている領域のうち、前記中央操作領域以外の領域は、切頭扇形状からなり、上、下、左、右、左上、右上、左下、右下の八つの閉区間から形成され、タッチ信号があれば、表示されると共に活性化されることになるが、タッチ信号がない場合は、所定時間の後、自動に非活性化されて消えてしまい、ハングル、ローマ字、日本語の各言語別に子音、母音、数字、記号、機能キーが割り当てられている第１次操作領域とを有するタッチキーブロックと、
前記タッチキーブロックの周りに言語別に少なくとも一つ以上の切頭扇形状の閉区間にして隣接しており、第１次操作領域のタッチ信号が発生すれば、表示されながら活性化されるが、タッチ信号がない場合は、所定時間の後、自動に非活性化され、消えてしまい、各言語別に子音、母音、数字、記号、機能キーが割り当てられている第２次操作領域と、
前記タッチ式の文字入力装置にて用いられる各言語別文字データを保存している文字保存部と、
前記通信端末機内の動作プログラムを保存しているプログラムメモリと、
前記通信端末機のタッチ信号に対応するコードデータを保存しているコード保存部と、
前記通信端末機に設けられた各タッチキーブロックへの指や道具の操作状態を検出するタッチキーブロック認識部と、
前記通信端末機に設けられた第２次操作領域への指や道具の操作状態を検出する２次操作領域認識部と、
前記タッチキーブロック認識部及び前記２次操作領域認識部を介して指や道具の操作状態検出信号が入力されると、前記プログラムメモリに保存されている動作プログラムによって前記文字保存部に保存されている文字データを参照し、使用者がどんな言語の音素を入力するかを判断し、前記コート保存部に保存されているコードデータを参照し、使用者が入力する該当言語の音素を表示するための表示制御信号を生成して出力するマイクロプロセッサーと、
前記マイクロプロセッサーから出力される表示制御信号によって前記タッチ領域内で指や道具の操作を通じて使用者が選択したタッチキーブロック選択手段またはタッチキーブロック及び２次操作領域の視覚的イメージと該当操作領域のタッチ信号により発生する文字及び数字／記号を表示するための駆動制御信号を出力する表示駆動部と、
前記表示駆動部から出力される駆動制御信号に応じてタッチキーブロック選択手段及びタッチキーブロック及び２次操作領域及び文字及び数字／記号を画面上に視覚的イメージで提供する表示部とを含む。
【手続補正７】
【補正対象書類名】明細書
【補正対象項目名】００１６
【補正方法】変更
【補正の内容】
【００１６】
本発明に係る、通信端末機の文字／数字入力方法は、
（１）使用者が言語別文字モードを選択するか否かを通信端末機のマイクロプロセッサーが判断するステップと、
（２）言語別文字モードを選択した使用者がハングル入力モード、ローマ字入力モード、日本語入力モードの何れの入力モードを選択したかを前記通信端末機のマイクロプロセッサーが判断するステップと、
（３）使用者がハングル入力モードを選択すると、前記通信端末機のマイクロプロセッサーが、タッチキーブロック及び２次操作領域から入力されるタッチ信号を検出し、該当ハングルの子音、母音及び数字／記号を組み合わせた後、前記通信端末機の画面上に表示するステップと、
（４）使用者がローマ字の入力モードを選択すると、前記通信端末機のマイクロプロセッサーが、前記タッチキーブロック及び２次操作領域から入力されるタッチ信号を検出し、該当ローマ字の子音、母音及び数字／記号を組み合わせた後、前記通信端末機の画面上に表示するステップと、
（５）使用者が日本語の入力モードを選択すると、前記通信端末機のマイクロプロセッサーが、前記タッチキーブロック及び２次操作領域から入力されるタッチ信号を検出し、該当日本語の平仮名、カタカナ、漢字及び数字／記号を組み合わせた後、前記通信端末機の画面上に表示するステップと、
（６）ハングル入力モード、ローマ字入力モード、日本語入力モードの何れか一つの入力モードを通じた文字入力作業が終了すると、前記通信端末機のマイクロプロセッサーが、使用者が文字保存を選択しているかを判断し、使用者が入力した文字を保存するステップと、
（７）前記通信端末機のマイクロプロセッサーが、使用者が文字モードを終了するか否かを判断し、文字モードを続けるか、または解除するステップとを含む。
【手続補正８】
【補正対象書類名】明細書
【補正対象項目名】００１７
【補正方法】変更
【補正の内容】
【００１７】
本発明の通信端末機の文字／数字入力装置及び入力方法によれば、外部との通信又はデータ保存のため、指や道具を使って座標を指定したり文字を選択したりすることができるタッチ部のパネル上に、９個のタッチ操作領域を含む複数のブロック群が形成される。したがって、前記各ブロック内のタッチ信号により発生する複数個の活性ブロックで各言語別文字及び数字／記号の入力を容易に行えるように構成することができ、また使用者が既存の通信端末機を通じて文字／数字のより少ない入力回数でハングル、ローマ字、日本語などの各種文字／数字を迅速且つ簡単に入力することによって、既に開発されているタッチスクリーン方式より効率よく、容易に入力できるばかりでなく、タッチスクリーンキー入力装置を採用した通信端末機の拡散に寄与できる。また、文字／数字の入力をより速やかに且つ簡単に行うことが可能なので、各種文字作業、電子メール、チャット、インタネットサーフィンなどを具現できる効果がある。
【手続補正９】
【補正対象書類名】明細書
【補正対象項目名】００１８
【補正方法】変更
【補正の内容】
【００１８】
【図１】既存のタッチスクリーンのキーボード構造及び操作様態を示す斜視図である。
【図２】本発明に係る通信端末機の構造を概略的に示す図面である。
【図３】本発明に係る通信端末機のタッチキーブロックの一実施例を示す図面である。
【図４】タッチキーブロック選択手段を説明するための図面である。
【図５】本発明に係る通信端末機の文字／数字入力装置の内部構成の一実施例を概略的に示すブロック図である。
【図６】本発明に係る通信端末機の文字／数字入力装置のハングルタッチキーブロックの一実施例を示す図面である。
【図７】本発明に係る通信端末機の文字／数字入力装置のローマ字タッチキーブロックの一実施例を示す図面である。
【図８】本発明に係る通信端末機の文字／数字入力装置の日本語タッチキーブロックの一実施例を示す図面である。
【図９】本発明に係る通信端末機の文字／数字入力装置のタッチ操作の一実施例を示す図面である。
【図１０】本発明に係る通信端末機の文字／数字入力方法の動作ステップを示すフローチャートである。
【図１１】図１０のハングル入力モードをより詳細に示したフローチャートである。
【図１２】図１０のローマ字入力モードをより詳細に示したフローチャートである。
【図１３】図１０の日本語入力モードをより詳細に示したフローチャートである。
【手続補正１０】
【補正対象書類名】明細書
【補正対象項目名】００１９
【補正方法】変更
【補正の内容】
【００１９】
以下、添付図面を参照し、本発明の通信端末機の文字／数字入力装置及び方法を詳細に説明する。図示の如く、タッチ部１０のタッチキーブロックＴは、外部との通信またはデータ保存のために指や道具を使って文字を選択することができるようにタッチパネルから構成されている。
【手続補正１１】
【補正対象書類名】明細書
【補正対象項目名】００２８
【補正方法】変更
【補正の内容】
【００２８】
前記タッチキーブロックＴの中心には、第１の閉曲線から形成された中央操作領域３があり、ハングルの子音、ローマ字の子音／母音、日本語の各行の「あ」段を入力できるように構成されており、その外郭に第２の閉曲線で囲まれており、八つの閉区間から構成された第１次操作領域３ａがあり、ハングル及びローマ字の母音と、日本語の各行の「い」段、「う」段、「え」段、「お」段とを入力できるように構成されている。中央操作領域３及び第１次操作領域３ａは、人の発音原理に基づいている（図６乃至図８参照）。
【手続補正１２】
【補正対象書類名】明細書
【補正対象項目名】００４４
【補正方法】変更
【補正の内容】
【００４４】
表示部９０は、通常、ＬＣＤなどからなり、表示駆動部８０から出力される駆動制御信号に応じて文字及び数字を画面上に表わし、使用者自身が入力した文字／数字を確認できるようにする。
【手続補正１３】
【補正対象書類名】明細書
【補正対象項目名】００４５
【補正方法】変更
【補正の内容】
【００４５】
2010541115.tif 000002
【手続補正１４】
【補正対象書類名】明細書
【補正対象項目名】００５０
【補正方法】変更
【補正の内容】
【００５０】
図７は、本発明による通信端末機の文字／数字入力装置のローマ字タッチキーブロック群２００の一実施例を示す図面である。
【手続補正１５】
【補正対象書類名】明細書
【補正対象項目名】００５６
【補正方法】変更
【補正の内容】
【００５６】
図８は、本発明に係る通信端末機の文字／数字入力装置の日本語タッチキーブロック群３００の一実施例を示す図面である。
【手続補正１６】
【補正対象書類名】明細書
【補正対象項目名】００６３
【補正方法】変更
【補正の内容】
【００６３】
次いで、前記した構成からなる本発明の通信端末機の文字／数字入力方法の一例を添付図面１０乃至１３に基づいて詳しく説明する。
【手続補正１７】
【補正対象書類名】明細書
【補正対象項目名】００６４
【補正方法】変更
【補正の内容】
【００６４】
図１０乃至図１３は、本発明による通信端末機の文字／数字入力方法の動作ステップを詳細に示すフローチャートである。
【手続補正１８】
【補正対象書類名】明細書
【補正対象項目名】００６６
【補正方法】変更
【補正の内容】
【００６６】
前述したステップＳ２００の判断結果、使用者がハングル入力モードを選択していれば、前記通信端末機のマイクロプロセッサーは、タッチキーブロック及び２次操作領域から入力されるタッチ信号を検出し、該当ハングルの子音、母音及び数字／記号を組み合わせた後、前記通信端末機の画面上に表示する（Ｓ２００）。
【手続補正１９】
【補正対象書類名】明細書
【補正対象項目名】００７７
【補正方法】変更
【補正の内容】
【００７７】
一方、前述したステップＳ２００の判断の結果、使用者がローマ字入力モードを選択すると、前記通信端末機のマイクロプロセッサーは、前記タッチキーブロック及び２次操作領域から入力されるタッチキー信号を検出し、該当ローマ字の子音、母音及び数字／記号を組み合わせた後、前記通信端末機の画面上に表示する（Ｓ３００）。
【手続補正２０】
【補正対象書類名】明細書
【補正対象項目名】００８１
【補正方法】変更
【補正の内容】
【００８１】
判断の結果、使用者がタッチキーブロック上に設けられた複数の中央操作領域及び１次操作領域の操作を行うと、前記通信端末機のマイクロプロセッサーは、使用者の操作に応じたローマ字の子音／母音及び単母音の入力を確認し、使用者が複数の中央操作領域及び２次操作領域の操作を行うと、前記通信端末機のマイクロプロセッサーは、使用者の操作に応じたローマ字の子音／母音及び二重母音の入力を確認する（Ｓ４１３）。
【手続補正２１】
【補正対象書類名】明細書
【補正対象項目名】００９５
【補正方法】変更
【補正の内容】
【００９５】
上記のように、本発明の通信端末機の文字／数字入力装置及び入力方法によれば、通信端末機に設けられているタッチ部上の各タッチキーブロック及び第２次操作領域に割り当てられている子音／母音文字の構造に対して使用者が容易に熟知することができるように構成すると共に、使用者が従来のタッチスクリーン方式の通信端末機を通じた文字／数字の入力より、高効率で、少ない入力回数でハングル、ローマ字、日本語などの様々な文字／数字を迅速かつ容易に入力することによって、既に開発されているタッチスクリーン方式の通信端末機よりも指による入力が楽になるのはもちろん、タッチスクリーンを採用している通信端末機の拡散に実質的に寄与をすることが可能であり、文字／数字の入力をさらに迅速にかつ簡単に行うことが可能なので、各種文書作業、電子メール、チャット、インタネット情報検索などを具現できる。
【手続補正２２】
【補正対象書類名】明細書
【補正対象項目名】００９７
【補正方法】変更
【補正の内容】
【００９７】
Ｔ  タッチキーブロック
Ｓ  タッチキーブロックの中心
１  タッチスクリーン端末機
３  中央操作領域
３ａ  第１次操作領域
５  第２次操作領域
１０  タッチ部
１１  タッチキーブロック選択手段
２０  タッチキーブロック領域認識部
３０  第２次操作領域認識部
４０  文字保存部
５０  プログラムメモリ
６０  コード保存部
７０  マイクロプロセッサー
８０  表示駆動部
９０  表示部
１００  ハングルタッチキーブロック群
１１０  ハングルタッチキーブロック
１２０  ハングル子音部
１２０ａ  ハングル単母音部
１２０ｂ  ハングル二重母音部
２００  ローマ字タッチキーブロック群
２１０  ローマ字タッチキーブロック
２２０  ローマ字の子音／母音部
２２０ａ  ローマ字の１次母音部
２２０ｂ  ローマ字の２次母音部
３００  日本語タッチキーブロック群
３１０  日本語タッチキーブロック
３２０  日本語の各行の「あ」段部
３２０ａ  日本語の各行の「い」段、「う」段、「え」段、「お」段／特殊文字または機能キー部
３２０ｂ  日本語機能キー部